(57)【要約】【課題】盛り替えを行いやすく、様々な構造物に対して柔軟に対応することの可能な足場／養生ユニットを提供する。【解決手段】本発明の足場／養生ユニットは、構造物に固定されるブラケット２と、該ブラケット２に上下スライド可能に取り付けられるフレーム１とを備え、ブラケット２が、構造物への取付部（２０，２１）と、フレーム１を上下スライド可能にガイドするガイド部２０ａと、フレーム１を固定する固定部２２とを有しており、固定部２２が、フレーム１の固定／非固定を選択的に行えると共に、フレーム１の上下スライド時にフレーム１と干渉しない位置に待避できるように移動可能に取付部（２０、２１）に取り付けられていることを特徴としている。【選択図】      図１１
2004360214.tif 000002
【特許請求の範囲】
【請求項１】
構造物の壁部外側に配設される足場／養生ユニットにおいて、
前記構造物に固定されるブラケットと、該ブラケットに上下スライド可能に取り付けられるフレームとを備え、
前記ブラケットが、前記構造物への取付部と、前記フレームを上下スライド可能にガイドするガイド部と、前記フレームを固定する固定部とを有しており、
前記固定部が、前記フレームの固定／非固定を選択的に行えると共に、前記フレームの上下スライド時に前記フレームと干渉しない位置に待避できるように移動可能に前記取付部に取り付けられていることを特徴とする足場／養生ユニット。
【請求項２】
構造物の壁部外側に配設される足場／養生ユニットにおいて、
前記構造物に固定されるブラケットと、該ブラケットに上下スライド可能に取り付けられるフレームとを備え、
前記ブラケットが、前記構造物への取付部と、前記フレームを上下スライド可能にガイドするガイドローラーとを有し、前記フレームが、前記ガイドローラによってガイドされるガイドレールを有し、かつ、前記ブラケット−前記フレーム間に互いの位置を固定する固定部が形成されており、
前記固定部が、前記フレームの前記ガイドレール上に複数並べられて形成されたフレーム側貫通孔と、前記ブラケットに形成されたブラケット側貫通孔と、該フレーム側貫通孔及び該ブラケット側貫通孔に対して挿入される固定ピンとからなることを特徴とする足場／養生ユニット。
【請求項３】
前記取付部が、Ｌ字状部材と、該Ｌ字状部材に対してスライド／固定可能な把持部材とからなり、前記Ｌ字状部材及び前記把持部材とで前記構造物を把持することで前記ブラケットを前記構造物に固定することを特徴とする請求項１又は２に記載の足場／養生ユニット。
【請求項４】
請求項１に記載の足場／養生ユニットを用いた足場／養生ユニットの使用方法であって、
前記取付部を用いて前記構造物に取り付けると共に前記ガイド部で前記フレームを上下スライド可能にガイドさせて、前記足場／養生ユニットを前記構造物に取り付け、
前記フレームの固定を解除して前記固定部を前記フレームと干渉しない位置に待避させ、
前記フレームを前記ガイド部でガイドしつつ上下スライドさせ、
前記固定部を元の位置に戻して該固定部によって前記フレームを固定することを特徴とする足場／養生ユニットの使用方法。
【請求項５】
請求項２に記載の足場／養生ユニットを用いた足場／養生ユニットの使用方法であって、
前記取付部を用いて前記ブラケットを前記構造物に固定すると共に前記ガイドローラーで前記ガイドレールを上下スライド可能にガイドさせて、前記足場／養生ユニットを前記構造物に取り付け、
前記固定ピンを前記フレーム側貫通孔及び前記ブラケット側貫通孔から抜き取り、
前記ガイドレールを前記ガイドローラーでガイドしつつ前記フレームを上下スライドさせ、
前記固定ピンを前記フレーム側貫通孔及び前記ブラケット側貫通孔に挿入させて前記フレームを固定することを特徴とする足場／養生ユニットの使用方法。
【発明の詳細な説明】
【０００１】
【発明の属する技術分野】
本発明は、主に建設中の構造物の壁部外側に配設され、足場として利用されたり、落下防止ネットなどの取付枠となる養生ユニットとして利用される足場／養生ユニットと、その使用方法とに関するものである。
【０００２】
【従来の技術】
建設中（あるいは改装中や塗装中など）の構造物（建築物）の周囲には足場が組まれ、その足場の外側には転落／落下防止用のネットが張られる。足場が組まれなくても、構造物の外側に転落／落下防止用のネットを張るためのフレームを組む場合もある。これらの足場やフレームなどは、低層の構造物であれば構造物に隣接して地表から組むことも可能である。しかし、近年は、中高層の場合でも利用な形態として、構造物自体に足場やフレームを固定してしまう場合が多い。
【０００３】
そして、このような構造物自体に固定する場合は足場やフレームをユニット化して（以下、これを足場／養生ユニットと呼ぶ）、必要な部分にのみ取り付けることが行われている。中高層建築は、下層から順次上層に向けて建設されていくが、この工程にあわせて足場／養生ユニットも順次上階に移動させることがなされている。足場／養生ユニットの移動のことを「盛替え」と呼ぶが、このような盛替えを考慮した足場ユニットとしては、［特許文献１］に記載のものなどが知られている。
【０００４】
【特許文献１】
特開２００３−２７７４０号公報
【０００５】
【発明が解決しようとする課題】
足場／養生ユニットの盛替えは、クレーンを占有してしまうため工期短縮上の障害となっていた。また、盛替え時には足場／養生ユニットを一度構造物から取り外すので、再固定時の位置決めなどが行いにくいと問題もあった。さらに、足場／養生ユニットを一度構造物から取り外す場合は、風が強い場合などは盛替えが行えずに工期を延長しなければならない場合もあった。そこで、本願出願人による上述した［特許文献１］に記載のユニットなどが発明された。本発明は、上述した［特許文献１］に記載のユニットをさらに改良したもので、本発明の目的は、盛り替えを行いやすく、様々な構造物に対して柔軟に対応することの可能な足場／養生ユニットを提供することにある。
【０００６】
【課題を解決するための手段】
請求項１に記載の足場／養生ユニットは、構造物に固定されるブラケットと、該ブラケットに上下スライド可能に取り付けられるフレームとを備え、ブラケットが、構造物への取付部と、フレームを上下スライド可能にガイドするガイド部と、フレームを固定する固定部とを有しており、固定部が、フレームの固定／非固定を選択的に行えると共に、フレームの上下スライド時にフレームと干渉しない位置に待避できるように移動可能に取付部に取り付けられていることを特徴としている。
【０００７】
また、請求項２に記載の足場／養生ユニットは、構造物に固定されるブラケットと、該ブラケットに上下スライド可能に取り付けられるフレームとを備え、ブラケットが、構造物への取付部と、フレームを上下スライド可能にガイドするガイドローラーとを有し、フレームが、ガイドローラによってガイドされるガイドレールを有し、かつ、ブラケット−フレーム間に互いの位置を固定する固定部が形成されており、固定部が、フレームのガイドレール上に複数並べられて形成されたフレーム側貫通孔と、ブラケットに形成されたブラケット側貫通孔と、該フレーム側貫通孔及び該ブラケット側貫通孔に対して挿入される固定ピンとからなることを特徴としている。
【０００８】
請求項３に記載の発明は、請求項１又は２に記載の足場／養生ユニットにおいて、取付部が、Ｌ字状部材と、該Ｌ字状部材に対してスライド／固定可能な把持部材とからなり、Ｌ字状部材及び把持部材とで構造物を把持することでブラケットを構造物に固定することを特徴としている。
【０００９】
請求項４に記載の足場／養生ユニットの使用方法は、請求項１に記載の足場／養生ユニットを用いるものであり、取付部を用いて構造物に取り付けると共にガイド部でフレームを上下スライド可能にガイドさせて、足場／養生ユニットを構造物に取り付け、フレームの固定を解除して固定部をフレームと干渉しない位置に待避させ、フレームをガイド部でガイドしつつ上下スライドさせ、固定部を元の位置に戻して該固定部によってフレームを固定することを特徴としている。
【００１０】
請求項５に記載の足場／養生ユニットの使用方法は、請求項２に記載の足場／養生ユニットを用いるものであり、取付部を用いてブラケットを構造物に固定すると共にガイドローラーでガイドレールを上下スライド可能にガイドさせて、足場／養生ユニットを構造物に取り付け、固定ピンをフレーム側貫通孔及びブラケット側貫通孔から抜き取り、ガイドレールをガイドローラーでガイドしつつフレームを上下スライドさせ、固定ピンをフレーム側貫通孔及びブラケット側貫通孔に挿入させてフレームを固定することを特徴としている。
【００１１】
【発明の実施の形態】
本発明の実施形態について図面を参照しつつ説明する。図１〜図５は、請求項１に記載の発明の足場ユニットの一実施形態を示している。図１は足場ユニット全体の正面図、図２は足場ユニット全体の側面図、図３は一部平面図、図４はブラケットの側面図、図５（ａ）はブラケット固定部の平面図、図５（ｂ）はブラケット取付部の平面図、図５（ｃ）はブラケット取付部の正面図である。
【００１２】
本実施形態の足場ユニットは、足場として機能するフレーム１と、このフレーム１を建設中の建築物などの構造物に対して固定するためのブラケット２とからなる。図１に示されるように、その正面側、即ち、構造物に取り付けられたときに外側に向く側からは、フレーム１が見えることとなる。フレーム１の最も外側には、落下／転落防止用のネット１０が張られている（ネット１０は一部のみを示してある）。また、このフレーム１自体は、従来から一般的に用いられている足場のフレームとほとんど同様であり、縦方向のスチール製の縦材１１と横材１２とこれらの間に配されたブレース１３と、これらの間に架けられた足場板１４とで構成されている。
【００１３】
ただし、本実施形態のフレーム１においては、図２に示されるように、構造物側の縦材１１にガイドレール１５が全長にわたって固定されている。本実施形態のガイドレール１５は、丸パイプ材であり、一定間隔毎に設けられたステー１５ａを介して縦材１１に対して溶接固定されている。ガイドレール１５は、構造物側の縦材１１のさらに構造物側に位置している。ここでは縦材１１は角パイプ材である。そして、このガイドレール１５がブラケット２によって把持されており、このブラケット２が構造物に固定されている。ここでは、ブラケット２は構造物の逆梁０ａに固定されている。
【００１４】
図２に示されるように、上下方向に関しては高さ方向の二箇所でブラケット２が取り付けられており、各高さ位置では、図３に示されるように、四箇所でブラケット２が取り付けられている。即ち、図１〜図３の場合は、合計八箇所でブラケット２によってフレーム１が構造物に対して固定されている。なお、図３には、構造物の側柱０ｂも示されている。また、図３中には、足場板１４と構造物との間の隙間を埋めるための隙間プレート１６も図示されている。隙間プレート１６は、足場板１４の上方側に畳むことができる。
【００１５】
ブラケット２は、図４及び図５に示されるように、Ｌ字状部材２０、把持部材２１、及び、回動可能な固定部２２を有している。Ｌ字状部材２０と把持部材２１とが、ブラケット２自体を構造物に固定するための取付部として機能する。固定部２２は、ブラケット２に対して上述したフレーム１を固定する機能を有している。Ｌ字状部材２０は、金属製の角パイプを直角に接合させたもので、短尺部の外側には上述したフレーム１のガイドレール１５をスライド可能にガイドする一対のガイド部材２０ａがボルトによって固定されている。このガイド部材２０ａがフレーム１を上下スライド可能にガイドするガイド部として機能している。
【００１６】
ガイド部材２０ａは、図５（ｃ）に示されるように、その間に隙間が形成されてＬ字状部材２０に固定されている。この隙間の幅は、ガイドレール１５の太さよりも細くなされており、ステー１５ａが通過する。一対のガイド部材２０ａはボルト止めとされているため、フレーム１（ガイドレール１５）を一対のガイド部材２０ａ間に配置させる際には、上下方向から挿通させるだけでなく、一方（又は双方）のガイド部材２０ａを取り外して取り付けることが可能である。このため、フレーム１のブラケット２への取り付け自由度が高い。
【００１７】
Ｌ字状部材２０の長尺部側面には、把持部材２１を固定するためのボルト孔２０ｂが一定間隔毎に貫通形成されている。Ｌ字状部材２０の長尺部と短尺部との接合部はパッチ２０ｃがあてられて溶接されており、強度が確保されている。また、この接合部の屈曲内側には、シート状のゴム部材２０ｄが貼り付けられており、このゴム部材２０ｄはブラケット２自体のズレ止めと構造物への傷付けを防止している。
【００１８】
このＬ字状部材２０にはスライド可能に把持部材２１が挿入されており、把持部材２１の角形管状部には、上述したＬ字状部材２０のボルト孔２０ｂに対応するボルト孔２１ａが貫通形成されている。把持部材２１は、このボルト孔２１ａとＬ字状部材２０のボルト孔２０ｂとにボルトが挿通されて共締めされることで、Ｌ字状部材２０に対して固定される。また、把持部材２１は、上述した角形管状部の軸方向に対して直角な方向に腕部が延ばされており、この腕部には角形管状部の軸方向（即ち、Ｌ字状部材２０）と平行となるようにストッパ２１ｂが螺合されている。
【００１９】
ストッパ２１ｂの先端（Ｌ字状部材２０の短尺部と対向する側）には、表面にゴム部材が配置された円錐状の受部２１ｃが形成されている。この受部２１ｃも、ブラケット２自体のズレ止めと構造物への傷付けを防止している。ストッパ２１ｂの軸部にはネジ溝が形成されており、把持部材２１本体の上述した腕部のネジ孔（腕部にナット２１ｄが溶接されている）に螺合されている。
【００２０】
ストッパ２１ｂは、その軸が回転されることで、その軸方向に進退動可能であり、この動きを利用して、Ｌ字状部材２０の短尺部とストッパ２１ｂの受部２１ｃとで構造物の一部を挟み込んでブラケット２を構造物に固定する。ストッパ２１ｂの受部２１ｃとは逆の先端側には、スパナやレンチでストッパ２１ｂを回転させるために六角断面部２１ｅが形成されている。
【００２１】
Ｌ字状部材２０の上面における短尺部側には、一対の取付部２０ｅ，２０ｆが取り付けられている。一対の取付部２０ｅ，２０ｆは、コ字状断面を有しており、上方を開放させてＬ字状部材２０本体に溶接固定されている。一対の取付部２０ｅ，２０ｆの各側部には、長尺部に平行な長孔が形成されている。この一対の取付部２０ｅ，２０ｆを介して、上述した固定部２２がＬ字状部材２０に取り付けられる。固定部２２は、金属製の角パイプと金属板とで形成された直角三角形状のフレームである。
【００２２】
固定部２２の最も鋭角な頂点に相当する部分には、上述した取付部２０ｆへの取付用のボルトが挿通されており、この部分では常にＬ字状部材２０に対して取り付けられた状態となっている。即ち、固定部２２は、この部分を中心にＬ字状部材２０に対して回動する。また、固定部２２の直角な頂点に相当する部分の近傍には、上述した取付部２０ｅへの固定用のボルトが挿通されている。この部分を、ボルト・ナットで取付部２０ｅに固定させると固定部２２を固定状態とでき、固定させないと固定部２２を非固定状態とできる。
【００２３】
一対の取付部２０ｅ，２０ｆに形成された取付用の孔が長孔とされているのは、Ｌ字状部材２０に対する固定部２２の固定位置を微調整できるようにするためであり、フレーム１の固定作業を行いやすくしている。固定部２２をＬ字状部材２０に対して固定したときにＬ字状部材２０の短尺部と平行となる、固定部２２の金属板部分には、三つのナットが溶接固定されている。本実施形態では、このナットの両側の二つに、フレーム１のガイドレール１５を固定するクランプ２２ａが取り付けられている。このクランプ２２ａ自体は、金属製の丸パイプを固定するものである。
【００２４】
このクランプ２２ａを締めれば、ガイドレール１５、即ち、フレーム１を固定できる。このクランプによるフレーム１の固定を解除し、かつ、取付部２０ｅでの固定部２２の固定を解除して固定部２２を回動させることで、フレーム１と固定部２２との干渉を回避してフレーム１を上下にスライドさせやすくなる。なお、本実施形態では、ブラケット２を、Ｌ字状部材２０と把持部材２１とからなる取付部を用いて構造物に取り付けた。しかし、図６に示されるようなアンカープレート２３を取付部として用いることも可能ではある。
【００２５】
図６（ａ）は平面図、図６（ｂ）は側面図、図６（ｃ）は正面図である。アンカープレート２３は、平板な金属板に対して垂直に一対の壁部を立設させた形態を有しており、一対の壁部には、Ｌ字状部材２０のボルト孔２０ｂに対応するボルト孔２３ａがそれぞれ二つずつ形成されている。また、平板部分の両側には、構造物に埋設させたアンカーボルトを挿通させるボルト孔２３ｂが形成されている。このアンカープレート２３は、把持部材２１を取り外してその代わりに用いるものである。
【００２６】
予め構造物にアンカーボルトを埋設させておき、ボルト孔２３ｂを介してアンカーボルトにアンカープレート２３をナットなどでしっかりと固定する。そして、このアンカープレート２３に対して、Ｌ字状部材２０をボルト孔２０ｂ，２３ａを介して固定する。ブラケット２はこのように構造物に対して取り付けることもできる。このように、取付部（把持部材２１やアンカープレート２３）が取り外し可能とされているため、ブラケット２の構造物への取り付け自由度が向上し、作業を行いやすい。なお、最終的に不要となったアンカーボルトは、不要であれば撤去すればよい。上述したブラケット２を用いるため、構造物側の形態が種々変わってもブラケット２を容易に取り付けることができる。即ち、構造物側のバリエーションに柔軟に対応することが可能である。
【００２７】
次に、上述した足場ユニットの使用方法（盛替え方法）について説明する。足場ユニットは、通常、図２及び図３に示されるように構造物に対して固定されている。そして、この図示されている部分の施工が（ほぼ）終了して下層階に足場ユニットは不要となり、かつ、さらに上層階が施工されて上層階に足場ユニットが必要な状況が生じる。この場合、足場ユニットを上層階に移動させる。まず、ブラケット２による固定を解いてもフレーム１が落下しないようにフレーム１を何らかの方法によって吊る。タワークレーンなどを用いても良いが、タワークレーンは部材の搬出入や運搬に重要な設備であり、これを盛替え作業に占有してしまうと工期の長期化を招くおそれもある。
【００２８】
例えば、２０ユニットを盛替えるには、約１日間タワークレーンを占有することとなってしまう。単純に１フロアの工程が９日間サイクルが８日間サイクルにできれば、３０階建ての建築物であれば３０日間工期を短縮することができる。人件費や重機代をなどを考慮すれば相当なコストダウンを実現することが可能となる。本実施形態の足場ユニットであれば、フレーム１がガイドされることもあり、可搬タイプの電気チェーンブロック３を用いて盛替えを行うことができる。電気チェーンブロック３を用いた盛替えと同時にタワークレーンを他の作業に振り分けられるので工期短縮が可能である。
【００２９】
そこで、まず、電気チェーンブロック３を取り付けるためのブラケット４を、図７及び図８に示されるように、構造物の逆梁０ａに取り付ける。このブラケット４を図９に示す。ブラケット４は、上述したブラケット２に準ずる構造を有している。ブラケット４も、Ｌ字状部材４０及び把持部材４１を有している。ここでも、Ｌ字状部材４０と把持部材４１とが、ブラケット４自体を構造物に固定するための取付部として機能している。Ｌ字状部材２０は、金属製の角パイプを直角に接合させたもので、短尺部の外側には電気チェーンブロック３をつり下げるための取付部４０ａが形成されている。取付部４０ａにはワイヤの取付孔４０ｃが形成されており、図７に示されるように、この取付孔４０ｃに取り付けられたワイヤに電気チェーンブロック３が取り付けられる。
【００３０】
Ｌ字状部材４０の長尺部側面には、把持部材４１を固定するためのボルト孔４０ｂが一定間隔毎に貫通形成されている。また、Ｌ字状部材２０の長尺部と短尺部の屈曲内側には、シート状のゴム部材４０ｄが貼り付けられている。Ｌ字状部材４０にはスライド可能に把持部材４１が挿入されており、把持部材４１の角形管状部には、Ｌ字状部材４０のボルト孔４０ｂに対応するボルト孔４１ａが貫通形成されている。把持部材４１は、このボルト孔４１ａとＬ字状部材４０のボルト孔４０ｂとにボルトが挿通されて共締めされることで、Ｌ字状部材４０に対して固定される。
【００３１】
把持部材４１は、下方に向けて腕部が延ばされており、この腕部にストッパ４１ｂが螺合されている。ここでは、ストッパ４１ｂが縦方向に二つ平行に配されている。上述したブラケット２に対してこのような二つのストッパを持つ把持部材を適用することも可能であるし、このブラケット４に対して一つのストッパを持つ把持部材を適用することもできる。保持するフレーム１の重さなどを考慮して適宜適した形態のものを選択すればよい。本実施形態では、上述したように取付部（把持部材）を脱着可能としてあるので、このような対応を容易に行える。ストッパ４１ｂ自体の構造は上述したストッパ２１ｂと同様であるため、対応する符号を付してその詳しい説明を省略する。
【００３２】
ブラケット４は、フレーム１を傾かせずにバランスよく引き上げることが可能となるように配置される。本実施形態では、ガイド部材２０ａによってフレーム１のガイドレール１５をガイドできるので、中央寄りの二箇所にブラケット４を配置している。また、このブラケット４に対応させて、図１０に示されるように、フレーム１の最下部にビーム５を取り付けておく。そして、図７に示されるように、このビーム５に電気チェーンブロック３のフックを取り付ける。
【００３３】
上述したように電気チェーンブロック３と足場ユニットとを接続したら、隙間プレート１６を跳ね上げておくと共に、フレーム１とブラケット２との間の固定を解除してブラケット２の固定部２２も跳ね上げておく。固定部２２は、取付部２０ｅでの固定を解除して、取付部２０ｆを中心に回動させて跳ね上げることで、フレーム１の上下スライド時にフレーム１と干渉しない位置に待避されることとなる。この状態で、電気チェーンブロック３に電力を供給して駆動させ、フレーム１を上方にスライドさせる。なお、フレーム１を同様の手順で下方にスライドさせることも当然可能である。
【００３４】
このとき、フレーム１は、そのガイドレール１５がブラケット２のガイド部材２０ａによってガイドされているため、スムーズにスライドされる。また、ガイドレール１５がブラケット２のガイド部材２０ａによってガイドされているため、フレーム１が構造物から離れてしまうようなことがなく、風の影響を抑制して盛替え（フレーム１のスライド）を行うことができる。フレーム１を完全に構造物から離してしまうような場合は、風の影響を考慮して盛替え作業を延期する場合などもあり、工期延長の理由となっていた。しかし、本実施形態によれば、そのようなことはなく、工期短縮に寄与することが可能である。
【００３５】
フレーム１を所定の位置までスライドさせたら、再度ブラケット２の固定部２２を用いてフレーム１を固定する。なお、ここで、図１１のような、フレーム１の落下防止機構を採用することもできる。これは、図４のブラケット２のガイド部材２０ａに落下防止機構を組み込んだものである。このため、図２のブラケット２と同一の部分には同一の符号を付してその詳しい説明を省略する。以下には、特に改良を行った部分についてのみ説明する。
【００３６】
なお、図１１のＬ字状部材２０は、その長尺部分が図２のものよりも短いタイプのものである。このように、Ｌ字状部材２０の長さに異なるものを用意すれば、構造物側の形態の違いに容易に対応することが可能である。これは、本実施形態のように取付部（把持部材２１やアンカープレート２３）を脱着可能とした形態であるからこそ可能なことである。また、図１１には、フレーム１がブラケット２によって固定されている状況が示されているが、フレーム１が上下にスライドするときは固定部２２による固定は当然解除される。
【００３７】
図１１に示されるように、Ｌ字状部材２０の長尺部と平行な回転軸２０ｇが一対のガイド部材２０ａの一方に設けられており、この回転軸２０ｇに対して垂直な平面内で回転するレバー２０ｈが該回転軸２０ｇに回転自在に取り付けられている。レバー２０ｈは、一対のガイド部材２０ａによって形成される隙間を塞いだり開放したりする位置にある。また、このレバー２０ｈは、その自重で通常は図１１（ｃ）の位置にあり、この位置よりも下方には回転しないようにロックがかかるが、上方へは回転可能である。
【００３８】
このため、フレーム１のガイドレール１５がガイド部材２０ａの内部を上方にスライドすると、ステー１５ａがレバー２０ｈを上方に押して図１１（ｃ）の点線の状態とし、ステー１５ａは一対のガイド部材２０ａ間の隙間を通過する。ステー１５ａが隙間を通過した後は、レバー２０ｈは自重で図１１（ｃ）の実線の状態に復帰する。このとき、フレーム１が下方にスライドしてもステー１５ａがレバー２０ｈによって規制され、フレーム１全体の下方へのスライド（落下）が防止される。
【００３９】
なお、上述した実施形態は、足場ユニットに関するものであったが、足場ユニットではなく養生ユニットに対しても本発明は適用が可能である。この場合を図１２及び図１３に示す。この養生ユニットも上述した足場ユニットに準ずる構造を有しているため、同等の構成部分には同一の符号を付して説明することとする。図１２及び図１３に示されるように、この場合も、養生ユニットは、足場として機能するフレーム１と、このフレーム１を構造物に対して固定するためのブラケット２とからなる。
【００４０】
図１２には、構造物に取り付けられたときに外側に向く正面側から見たフレーム１が示されている。フレーム１の外側には、落下／転落防止用のネット１０が張られている（ネット１０は一部のみを示してある）。フレーム１は、縦方向のスチール製の縦材１１と横材１２とこれらの間に配された枠体１３ａとで構成されている。このフレーム１は、図中右側と左側とが中央側にスライドする構造を有しており、幅を狭くしてトラックなどに積載することが容易になる構造である。また、このフレーム１には、盛替え時に電気チェーンブロック３のフックを引っかけるアンカー部１７も溶接固定されている。
【００４１】
そして、このフレーム１においても、図１３に示されるように、構造物側の縦材１１にガイドレール１５が全長にわたって固定されている。そして、このガイドレール１５を介してブラケット２によって養生ユニット全体が構造物に対して固定されている。ここでは、構造物のベランダ排水溝を利用してブラケット２が取り付けられている。この養生ユニットの場合も、その使用方法は上述した足場ユニットと同様である。
【００４２】
図１４〜図１７に請求項２に記載の発明の実施形態を示す。本実施形態の足場ユニットも上述した請求項１に記載の発明の実施形態である足場ユニットに準ずる構造を有しているため、同等の構成部分には同一の符号を付して説明することとする。本実施形態の足場ユニットもフレーム１とブラケット２とからなる。フレーム１は縦材１１と横材とで構成されているが、構造物側の縦材は、図１４〜図１６に示されるようにＩ型鋼によって構成されており、ガイドレール１５としても機能する。そして、ガイドレール１５のウェブには、後述する固定ピン６を挿通させる複数の貫通孔（フレーム側貫通孔）１５ｂが並べて形成されている。
【００４３】
一方、本実施形態のブラケット２は、図１５及び図１６に示されるように、Ｌ字状部材２０及び把持部材２１を有している。Ｌ字状部材２０と把持部材２１とが、ブラケット２自体を構造物に固定するための取付部として機能する。Ｌ字状部材２０は、金属製の角パイプを直角に接合させたもので、短尺部の外側には上述したフレーム１のガイドレール１５をスライド可能にガイドする一対のガイドローラ２０ｉが回転可能に対向して取り付けられている。一対のガイドローラ２０ｉは、Ｌ字状部材２０の短尺部に溶接接合された一対の板材２０ｊに対して取り付けられており、図１６に示されるように、ガイドレール１５の一対のフランジ間に位置している。
【００４４】
また、一対の板材２０ｊには、大きさの異なる長方形状の貫通孔（ブラケット側貫通孔）２０ｋ，２０ｌが並べて形成されている。貫通孔２０ｋ，２０ｌの何れかとガイドレール１５の貫通孔１５ｂとが重なってできる孔に後述する図１７に示す固定ピン６を挿通させることで、ブラケット２に対するフレーム１のスライドを規制し、両者を固定することができる。即ち、これらの貫通孔１５ｂ，２０ｋ，２０ｌ及び固定ピン６が、フレーム１−ブラケット２を固定する固定部として機能している。
【００４５】
また、Ｌ字状部材２０の長尺部側面には、把持部材２１を固定するためのボルト孔２０ｂが一定間隔毎に貫通形成されている。Ｌ字状部材２０の長尺部上面には、ハンドル２０ｍが取り付けられており、ブラケット２を構造物から取付／取外し作業時や取外し後の持ち運びを容易にしている。把持部材２１は、上述した実施形態と同様にスライド可能にＬ字状部材２０に挿入されており、その角形管状部にボルト孔２１ａが貫通形成されている。
【００４６】
把持部材２１は、このボルト孔２１ａとＬ字状部材２０のボルト孔２０ｂとにボルトが挿通されて共締めされることで、Ｌ字状部材２０に対して固定される。また、把持部材２１は、下方に向けて腕部が延ばされており、この腕部にストッパ２１ｂが螺合されている。ここでは、ストッパ２１ｂが横方向に二つ平行に配されている。ストッパ２１ｂは上述した実施形態と同様であるため、同一の符号を付してその詳しい説明を省略する。
【００４７】
上述した固定ピン６は、図１７に示されるように、長円形断面を有する金属棒で、その一方の端部近傍に抜け止め用の鍔６ａが取り付けられている。また、この鍔６ａの端部側には、チェーン６ｂが取り付けられており、他方の端部には孔６ｃが形成されている。固定ピン６を貫通孔２０ｋ，２０ｌの何れかとガイドレール１５の貫通孔１５ｂとが重なってできる孔に挿通させた後に、チェーン６ｂの端部を孔６ｃに取り付けることで、固定ピン６の抜けと落下を防止することができる。
【００４８】
本実施形態の足場ユニットの使用方法（盛替え方法）について簡単に説明する。まず、フレーム１−ブラケット２間の固定を解除（固定ピン６を除去）してもフレーム１が落下しないようにフレーム１を何らかの方法によって吊る。上述した実施形態と同様に、電気チェーンブロックやタワークレーンなどを用いる。電気チェーンブロックを用いる場合は、やはり上述した実施形態と同様な方法で電気チェーンブロックを吊す。図９に示されるブラケット４を利用しても良い。ここでは、電気チェーンブロックを使用する。
【００４９】
電気チェーンブロックと足場ユニットとを接続したら、フレーム１を固定している全てのブラケット２から固定ピン６を抜き、フレーム１とブラケット２との間の固定を解除する。この状態で、電気チェーンブロックに電力を供給して駆動させ、フレーム１を上方（下方も可）にスライドさせる。このとき、フレーム１は、そのガイドレール１５がブラケット２のガイドローラ２０ｉによってガイドされているため、スムーズにスライドされる。
【００５０】
また、ガイドレール１５がブラケット２のガイドローラ２０ｉによってガイドされているため、フレーム１が構造物から離れてしまうようなことがなく、風の影響を抑制して盛替え（フレーム１のスライド）を行うことができ、本実施形態でも工期短縮に寄与することが可能である。フレーム１を所定の位置までスライドさせたら、再度固定ピン６を取り付けてフレーム１−ブラケット２間を固定する。ガイドレール１５には、複数の貫通孔１５が形成されており、かつ、ブラケット２側にも二つの貫通孔２０ｋ，３０ｌが形成されているので、固定ピン６は必ず挿入させることができる。また、階によって階高が異なるような場合は、ブラケット２の縦方向の取付間隔異なる場合もあり得るが、複数の貫通孔１５が形成されているので、このような場合も容易に対応できる。
【００５１】
なお、本発明は上述した実施形態に限定されるものではない。例えば、上述した図４に示したブラケット２を有する実施形態においては、ブラケット２の固定部２２は、回動されてフレーム１と干渉しない場所に待避される。しかし、固定部をスライド可能として、スライドさせてフレーム１と干渉しない場所に待避させてもよい。
【００５２】
【発明の効果】
本発明の足場／養生ユニット及びその使用方法によれば、盛替えを容易にかつ効率よく行うことができる。また、常にガイドしながら盛替えを行えるので、風などの影響を受けにくく、工期短縮にも寄与することができる。
【図面の簡単な説明】
【図１】本発明の足場ユニットの第一実施形態の正面図である。
【図２】本発明の足場ユニットの第一実施形態の側面図である。
【図３】本発明の足場ユニットの第一実施形態の平断面図である。
【図４】本発明の足場ユニットの第一実施形態におけるブラケットの側面図である。
【図５】（ａ）は図４のブラケットにおける固定部の平面図、（ｂ）は図４のブラケットにおけるＬ字状部材の平面図、（ｃ）はＬ字状部材の正面図である。
【図６】（ａ）はアンカープレートの平面図、（ｂ）は側面図、（ｃ）は正面図である。
【図７】第一実施形態の足場ユニット盛替え時の側面図である。
【図８】第一実施形態の足場ユニット盛替え時の平断面図である。
【図９】第一実施形態の足場ユニット盛替え時に用いるブラケットの側面図である。
【図１０】第一実施形態の足場ユニット盛替え時の平断面図（フレーム最下部）である。
【図１１】ブラケットの変形例であり、（ａ）は平面図（固定部図示せず）、（ｂ）は側面図、（ｃ）は正面図（固定部・フレーム図示せず）である。
【図１２】第一実施形態の変形例（養生ユニットの場合）の正面図である。
【図１３】第一実施形態の変形例（養生ユニットの場合）の側面図である。
【図１４】本発明の足場ユニットの第二実施形態の正面図である。
【図１５】本発明の足場ユニットの第一実施形態の側面図である。
【図１６】本発明の足場ユニットの第二実施形態におけるブラケットの側面図である。
【図１７】図１７のブラケットの固定ピンの（ａ）平面図、（ｂ）側面図である。
【符号の説明】
１…フレーム、２…ブラケット、３…電気チェーンブロック、５…ビーム、６…固定ピン、１０…ネット、１４…足場板、１５…ガイドレール、１５ａ…ステー、１５ｂ…フレーム側貫通孔、２０…Ｌ字状部材、２０ａ…ガイド部材、２０ｉ…ガイドローラ、２０ｋ，２０ｌ…ブラケット側貫通孔、２１…把持部材、２１ｂ…ストッパ、２２…固定部、２２ａ…クランプ、２３…アンカープレート。
【図１】
2004360214.tif 000003
【図２】
2004360214.tif 000004
【図３】
2004360214.tif 000005
【図４】
2004360214.tif 000006
【図５】
2004360214.tif 000007
【図６】
2004360214.tif 000008
【図７】
2004360214.tif 000009
【図８】
2004360214.tif 000010
【図９】
2004360214.tif 000011
【図１０】
2004360214.tif 000012
【図１１】
2004360214.tif 000013
【図１２】
2004360214.tif 000014
【図１３】
2004360214.tif 000015
【図１４】
2004360214.tif 000016
【図１５】
2004360214.tif 000017
【図１６】
2004360214.tif 000018
【図１７】
2004360214.tif 000019